(57)【要約】【課題】  複数の表示部を備えた電気光学装置において、各表示部で過度な駆動電力を供給すること無く、電気光学素子のピーク輝度を制御することができる電気光学装置、電気光学装置の駆動方法及び電子機器を提供する。【解決手段】  有機ＥＬディスプレイ１は、１フレーム期間における第１〜第４タイリングパネル２Ａ〜２Ｄの各平均階調値を算出する第１〜第４平均諧調値算出部と、各平均階調値を比較し最高平均階調値を抽出する比較部と、最高平均階調値に基づいて有機ＥＬ素子の発光デューティ値を設定するドライブパルス信号生成部１１を備えた。また、ドライブパルス信号生成部には発光デューティ値を、最高平均階調値が大きいときには小さく、最高平均階調値が小さいときには大きくする変換用マップデータを備えた。そして、各タイリングパネル２Ａ〜２Ｄの駆動電流の供給時間を最高平均階調値に基づいて制御するようにした。【選択図】  図１
2006126231.tif 000002
【特許請求の範囲】
【請求項１】
電気光学素子をマトリクス状に配置した複数の表示部からなる電気光学パネルを備えた電気光学装置において、
前記各表示部の輝度特性を検出する検出部と、
検出された前記各輝度特性から前記各表示部の輝度特性値をそれぞれ算出する特性値算出部と、
前記各輝度特性値を比較する比較部と、
前記比較部での前記各輝度特性値の比較結果に基づいて前記各表示部の前記電気光学素子に供給する駆動電力量を制御する制御部と
を備えたことを特徴とする電気光学装置。
【請求項２】
請求項１に記載の電気光学装置において、
前記輝度特性値は、前記各表示部に供給される画像データに基づく値であることを特徴とする電気光学装置。
【請求項３】
請求項１に記載の電気光学装置において、
前記輝度特性値は、前記各表示部で消費される消費電流に基づく値であることを特徴とする電気光学装置。
【請求項４】
請求項２に記載の電気光学装置において、
前記制御部は、各表示部に供給される前記画像データの平均値に基づいて前記各表示部の前記電気光学素子に供給する駆動電力量を制御するようにしたことを特徴とする電気光学装置。
【請求項５】
請求項４に記載の電気光学装置において、
前記各表示部に供給される前記画像データの平均値は、前記電気光学パネルの１フレーム当たりの平均値であることを特徴とする電気光学装置。
【請求項６】
請求項４に記載の電気光学装置において、
前記各表示部に供給される前記画像データの平均値は、１走査期間当たりの平均値であることを特徴とする電気光学装置。
【請求項７】
請求項２に記載の電気光学装置において、
前記制御部は、前記各表示部に供給される前記画像データの最大値あるいは最小値に基づいて前記各表示部の前記電気光学素子に供給する駆動電力量を制御するようにしたことを特徴とする電気光学装置。
【請求項８】
請求項２に記載の電気光学装置において、
前記制御部は、前記各表示部に供給される前記画像データの度数分布に基づいて前記各表示部の前記電気光学素子に供給する駆動電力量を制御するようにしたことを特徴とする電気光学装置。
【請求項９】
請求項１乃至８のいずれか一つに記載の電気光学装置において、
前記駆動電力量の制御は、前記電気光学素子の発光デューティ値を制御することにより行うようにしたことを特徴とする電気光学装置。
【請求項１０】
請求項９に記載の電気光学装置において、
前記電気光学素子の発光デューティ値は、前記各表示部の前記画像データの平均値のうちの最大値が大きくなるように変化すると、その変化に対応して小さくなるように制御す
ることにより行うようにしたことを特徴とする電気光学装置。
【請求項１１】
請求項１乃至８のいずれか一つに記載の電気光学装置において、
前記駆動電力量の制御は、前記各表示部に供給される電源電圧を制御することにより行うようにしたことを特徴とする電気光学装置。
【請求項１２】
請求項１乃至８のいずれか一つに記載の電気光学装置において、
前記画像データの平均値のうちの最大値を有する前記表示部にピーク輝度を合せるようにしたことを特徴とする電気光学装置。
【請求項１３】
請求項１乃至１２のいずれか一つに記載の電気光学装置において、
前記電気光学パネルは、複数の表示部を貼り合せてなる構造を有することを特徴とする電気光学装置。
【請求項１４】
請求項１乃至１３のいずれか一つに記載の電気光学装置において、
前記電気光学素子は、有機エレクトロルミネッセンス素子であることを特徴とする電気光学装置。
【請求項１５】
電気光学素子をマトリクス状に配置した複数の表示部からなる電気光学パネルを備えた電気光学装置の駆動方法において、
前記各表示部の輝度特性を検出するステップと、
検出された前記各輝度特性から前記各表示部の輝度特性値値をそれぞれ算出するステップと、
前記表示部毎の前記各輝度特性値を比較するステップと、
前記各輝度特性値の比較結果に基づいて前記各表示部の前記電気光学素子に供給する駆動電力量を制御するステップと、
を備えたことを特徴とする電気光学装置の駆動方法。
【請求項１６】
請求項１乃至１４のいずれか一つに記載の電気光学装置を実装してなることを特徴とする電子機器。
【発明の詳細な説明】
【技術分野】
【０００１】
本発明は、電気光学装置、電気光学装置の駆動方法及び電子機器に関するものである。
【背景技術】
【０００２】
電気光学素子がマトリクス状に配置され、データ線と走査線との交差部に形成された画素回路にデータ信号を供給することにより、各電気光学素子の輝度を調整して所望の画像を表示する電気光学装置において、電気光学素子が電流駆動型発光素子である有機エレクトロルミネッセンスディスプレイ（以下、有機ＥＬディスプレイという）がある。
【０００３】
有機ＥＬディスプレイは、各画素回路に駆動トランジスタを備え、同駆動トランジスタによりデータ信号に対応した駆動電流を、有機エレクトロルミネッセンス素子といった電流駆動型発光素子に供給する構造を有している。そして、電流駆動型発光素子は、駆動電流の電流値に応じてその輝度が変化し、たとえば、駆動電流が大きい場合は高い輝度で、駆動電流が小さい場合は低い輝度で発光する。
【０００４】
ところで、一般に画像を表示する際、２５６階調程度の階調表示を行っている。多くの場合、２５６階調程度で十分であるが、例えば、画面全体はそれほど明るくないが、一部に輝度のピークがある画像では、画面中のごく一部の領域で２５６階調の最高輝度よりもさらに高い輝度がないと迫力のある画像として表示されない。陰極線管（ＣＲＴ）を用いた従来の直視型テレビジョン等においては、画面の一部の瞬発的な輝度（ピーク輝度）を平均輝度の１０倍以上得られるようにして表示することでコントラストを高めて迫力のあるダイナミックな画像表示を実現している。
【０００５】
そこで、ダイナミックな画像表示を実現するために、上述した電気光学装置においては、データ信号値から平均階調値を検出し、その検出した平均階調値によって各電気光学素子の電源電圧を制御することにより画像のピーク輝度を制御する技術が開示されている（例えば、特許文献１）。
【特許文献１】特開２０００−２２１９４５号公報
【発明の開示】
【発明が解決しようとする課題】
【０００６】
ところで、近年、複数のパネルをタイリング等により互いに貼り合わせて一枚の大型表示パネルとして使用することで、大画面表示が可能な有機ＥＬディスプレイが実現されている。この種のディスプレイにおいては、タイリングされた各パネル（以下、「タイリングパネル」という）はそれぞれ独立した電力が供給される構造になっている。上記特許文献１に記載のピーク輝度の制御方法は、１つの表示パネルで構成された電気光学装置に対しては適用可能である。しかし、上述した複数のタイリングパネルを互いに貼り合わせて構成された表示パネルを備えた電気光学装置に対しては、表示パネル全体の平均階調値と、タイリングパネルの平均階調値とに大きな差がある場合、そのタイリングパネルに供給される電力が過度に大きくなってしまう。このため、タイリングパネル（電流駆動型発光素子又は駆動トランジスタ等）が破損してしまう虞があった。
【０００７】
本発明は、上述した事情に鑑みてなされたもので、その目的とするところは、複数の表示部を備えた電気光学装置において、各表示部で過度な駆動電力を供給すること無く、電気光学素子のピーク輝度を制御することができる電気光学装置、電気光学装置の駆動方法及び電子機器を提供することにある。
【課題を解決するための手段】
【０００８】
本発明の電気光学装置は、電気光学素子をマトリクス状に配置した複数の表示部からなる電気光学パネルを備えた電気光学装置において、前記各表示部の輝度特性を検出する検出部と、検出された前記各輝度特性から前記各表示部の輝度特性値をそれぞれ算出する特性値算出部と、前記各輝度特性値を比較する比較部と、前記比較部での前記各輝度特性値の比較結果に基づいて前記各表示部の前記電気光学素子に供給する駆動電力量を制御する制御部とを備えている。
【０００９】
これによれば、全ての電気光学素子の発光輝度は、各表示部の輝度特性値を比較することにより得られた値に基づいて制御される。従って、所定の１つの表示部が他の表示部に比べて高い輝度の画像を表示するときであっても、たとえば、各表示部の各輝度特性値のうち、最も高い輝度特性値に基づいて各電気光学素子の発光輝度を制御されるようにすることで、他の表示部とともに高い輝度の画像を表示する表示部の電気光学素子の発光輝度が小さくなる。この結果、高い輝度の画像を表示する表示部上に、更に輝点が表示されるような場合であっても、その輝点を表示するため電気光学素子にさらに大きな駆動電力が供給されても同電気光学素子が破損することはない。
【００１０】
この電気光学装置において、前記輝度特性値は、前記各表示部に供給される画像データに基づく値であってもよい。
これによれば、全ての電気光学素子の発光輝度は、各表示部に供給される各画像データの比較結果に基づいて制御される。従って、所定の１つの表示部が他の表示部に比べて高い輝度の画像を表示するときであっても、各画像データを比較し、その画像データの中で、たとえば、最も高い輝度特性値を有した画像データに基づいて各電気光学素子の発光輝度が制御されるようにすることで、他の表示部とともに高い輝度の画像を表示する表示部の電気光学素子の発光輝度を小さくすることが可能となる。この結果、高い輝度の画像を表示する表示部上に、更に輝点が表示されるような場合であっても、その輝点を表示するため電気光学素子にさらに大きな駆動電力が供給されても同電気光学素子が破損することはない。
【００１１】
この電気光学装置において、前記輝度特性値は、前記各表示部で消費される消費電流に基づく値であってもよい。
これによれば、全ての電気光学素子の発光輝度は、各表示部に供給される各消費電流の比較結果に基づいて制御される。従って、所定の１つの表示部が他の表示部に比べて高い輝度の画像を表示するときであっても、各消費電流を比較し、その消費電流の中で、たとえば、最も高い輝度特性値を有した消費電流に基づいて各電気光学素子の発光輝度が制御されるようにすることで、他の表示部とともに高い輝度の画像を表示する表示部の電気光学素子の発光輝度を小さくすることが可能となる。この結果、高い輝度の画像を表示する表示部上に、更に輝点が表示されるような場合であっても、その輝点を表示するため電気光学素子にさらに大きな駆動電力が供給されても同電気光学素子が破損することはない。
【００１２】
この電気光学装置において、前記制御部は、各表示部に供給される前記画像データの平均値に基づいて前記各表示部の前記電気光学素子に供給する駆動電力量を制御するようにしてもよい。
【００１３】
これによれば、電気光学素子の駆動電力の供給量は、各表示部の画像データの平均値のうちの、たとえば、最大値に基づいて制御される。従って、平均階調値が高い画像を表示する表示部上に、更に輝点が表示されるような場合であっても、その輝点を表示するため電気光学素子に過度な駆動電力が供給されることはない。この結果、電気光学素子が破損するのを防止することができる。
【００１４】
この電気光学装置において、前記各表示部の前記画像データの平均値は、前記電気光学パネルの１フレーム当たりの平均値であってもよい。
これによれば、各電気光学素子に供給される駆動電力の供給量は、電気光学パネルの１フレーム当たりの各表示部の画像データの平均値に基づいて制御される。従って、たとえば、１走査期間当たりの各表示部の画像データの平均値に基づいて制御する場合と比べて特性値算出部の演算処理速度を下げることができるので同特性値算出部の負担を低減させることができる。
【００１５】
この電気光学装置において、前記各表示部の前記画像データの平均値は、１走査期間当たりの平均値であってもよい。
これによれば、各電気光学素子に供給される駆動電力の供給量は、電気光学パネルの１フレーム当たりの各表示部の画像データの平均値に基づいて制御される。従って、たとえば、１フレーム当たりの各表示部の画像データの平均値に基づいて制御する場合と比べて、ピーク輝度をより精度良く制御することができる。
【００１６】
この電気光学装置において、前記制御部は、前記各表示部に供給される前記画像データの最大値あるいは最小値に基づいて前記各表示部の前記電気光学素子に供給する駆動電力量を制御するようにしてもよい。
これによれば、各電気光学素子の発光輝度は、各表示部に供給される各画像データの最大値あるいは最小値に基づいて制御される。
【００１７】
この電気光学装置において、前記制御部は、前記各表示部に供給される前記画像データの度数分布に基づいて前記各表示部の前記電気光学素子に供給する駆動電力量を制御するようにしてもよい。
これによれば、各電気光学素子の発光輝度は、各表示部に供給される各画像データの度数分布に基づいて制御される。
【００１８】
この電気光学装置において、前記駆動電力量の制御は、前記電気光学素子の発光デューティ値を制御することにより行うようにしてもよい。
これによれば、たとえば、電気光学素子に駆動電力量としての駆動電流を供給するためのスイッチングトランジスタを設け、そのスイッチングトランジスタのオン・オフ制御することで電気光学素子の発光デューティ値を制御する。このようにすることで、駆動電力量の制御が容易となる。
【００１９】
この電気光学装置において、前記電気光学素子の発光デューティ値は、前記各表示部の前記画像データの平均値のうちの最大値が大きくなるように変化すると、その変化に対応して小さくなるように制御することにより行うようにしてもよい。
【００２０】
これによれば、特性値算出部は、たとえば、各表示部に表示される画像を表示するための画像データに基づいて各表示部の輝度特性値として平均階調値をそれぞれ算出し、比較部は、各平均階調値を比較してその中で例えば最も高い平均階調値を抽出する。そして、制御部は、その最も高い平均階調値に基づいて全ての電気光学素子に供給される駆動電力の供給量を制御する。このようにすることで、所定の１つの表示部が他の表示部に比べてその平均階調値が高い画像を表示するときであっても、各表示部の平均階調値のうち、最も平均諧調値が高い表示部の平均階調値に基づいて発光輝度が制御されるため、他の表示部とともに平均階調値が高い画像を表示する表示部の電気光学素子の発光輝度は小さくなる。
【００２１】
この電気光学装置において、前記駆動電力量の制御は、前記各表示部に供給される電源電圧を制御することにより行うようにしてもよい。
これによれば、各表示部に供給される電源電圧を制御することにより、各電気光学素子の発光輝度を制御することが可能となる。
【００２２】
この電気光学装置において、前記画像データの平均値のうちの最大値を有する前記表示部にピーク輝度を合せるようにしてもよい。
これによれば、平均階調値が高い画像を表示する表示部上に、更に輝点が表示されるような場合であっても、その輝点を表示するため電気光学素子にさらに大きな駆動電力が供給されても電気光学素子が破損することはない。
【００２３】
この電気光学装置において、前記電気光学パネルは、複数の表示部を貼り合せてなる構造を有していてもよい。
これによれば、複数の表示部を互いに貼り合わせて構成された表示パネルを備えた電気光学装置において、その各表示部で過度な駆動電力が供給することを無くし、各電気光学素子のピーク輝度を制御させることができる。
【００２４】
この電気光学装置において、前記電気光学素子はエレクトロルミネッセンス素子であってもよい。
これによれば、電気光学素子としてエレクトロルミネッセンス素子を備えた複数の表示部を互いに貼り合わせて構成された表示パネルを備えた電気光学装置において、その各表示部で過度な駆動電力が供給することを無くし、各エレクトロルミネッセンス素子のピーク輝度を制御させることができる。
【００２５】
この電気光学装置において、前記エレクトロルミネッセンス素子は、発光層が有機材料で構成されていてもよい。
これによれば、電気光学素子として有機エレクトロルミネッセンス素子を備えた複数の表示部を互いに貼り合わせて構成された表示パネルを備えた電気光学装置において、その各表示部で過度な駆動電力が供給することを無くし、各有機エレクトロルミネッセンス素子のピーク輝度を制御させることができる。
【００２６】
本発明の電気光学装置の駆動方法は、電気光学素子をマトリクス状に配置した表示部を複数枚貼り合わせてなる構造を有した電気光学パネルを備えた電気光学装置の駆動方法において、前記各表示部の輝度特性値をそれぞれ算出するステップと、前記表示部毎の前記各輝度特性値を比較するステップと、前記各輝度特性値の比較結果に基づいて前記各表示部の前記電気光学素子の駆動電力の供給量を制御するステップと、を備えている。
【００２７】
これによれば、特性値算出部は、たとえば、各表示部に表示される画像を表示するための画像データに基づいて各表示部の輝度特性値として平均階調値をそれぞれ算出し、比較部は、各平均階調値を比較してその中で最も高い平均階調値を抽出する。そして、制御部は、その最も高い平均階調値に基づいて全ての電気光学素子に供給される駆動電力の供給量を制御する。このとき、制御部は、抽出された平均階調値が高い場合、全ての電気光学素子の発光輝度を小さくするように駆動電力の供給量を制御するように設定されるようにする。このようにすることで、所定の１つの表示部が他の表示部に比べてその平均階調値が高い画像を表示するときであっても、各表示部の平均階調値のうち、最も平均諧調値が高い表示部の平均階調値に基づいて発光輝度が制御されるため、他の表示部とともに平均階調値が高い画像を表示する表示部の電気光学素子の発光輝度は小さくなる。従って、平均階調値が高い画像を表示する表示部上に、更に輝点が表示されるような場合であっても、その輝点を表示するため電気光学素子にさらに大きな駆動電力が供給されても同電気光学素子が破損することはない。
【００２８】
本発明の電子機器は、上記電気光学装置を実装している。
これによれば、複数の表示部を貼り合わせて１枚の大型の電気光学パネルを実現してなる、例えば大型テレビといった電子機器において、各表示部に過度な駆動電力が供給されないので、そのピーク輝度制御を行う際に、電気光学素子が破損することがない電子機器を提供することができる。
【発明を実施するための最良の形態】
【００２９】
（第１実施形態）
以下、本発明の電気光学装置を有機ＥＬディスプレイに具体化した一実施形態について説明する。
【００３０】
図１は、本発明の有機ＥＬディスプレイの電気的構成を説明するためのブロック図である。尚、有機ＥＬディスプレイ１は、公知のピーク輝度制御を行うための図示しない制御手段を備えており、一部にピーク輝度がある画像を表示する場合は、同制御手段によりピーク輝度制御を行うことで、コントラストを高めて迫力のあるダイナミックな画像表示を実現可能としている。
【００３１】
図１に示すように、有機ＥＬディスプレイ１は、１枚の大型表示パネル部２を備えている。大型表示パネル部２は、本実施形態においては、４枚のタイリングパネル２Ａ〜２Ｄが貼り合わされることで構成されている。
【００３２】
各タイリングパネル２Ａ〜２Ｄのうち、第１タイリングパネル２Ａは大型表示パネル部２に表示される画像のうち左上側に表示される画像を表示するための表示パネルであり、左上側に配置されている。第２タイリングパネル２Ｂは、大型表示パネル部２に表示される画像のうち右上側に表示される画像を表示するための表示パネルであり右上側に配置され、また、第３タイリングパネル２Ｃは、大型表示パネル部２に表示される画像のうち左下側に表示される画像を表示するための表示パネルであり左下側に配置されている。同様に、第４タイリングパネル２Ｄは、大型表示パネル部２に表示される画像のうち右下側に表示される画像を表示するための表示パネルであり、右下側に配置されている。
【００３３】
各タイリングパネル２Ａ〜２Ｄの表示領域Ｒ1〜Ｒ4には、有機エレクトロルミネッセンス素子（以下、「有機ＥＬ素子」という）３がマトリクス状に配置されている（図２参照）。また、各タイリングパネル２Ａ〜２Ｄには、それぞれ対応する走査線駆動回路４Ａ〜４Ｄ、デジタル・アナログ変換部５Ａ〜５Ｄ、電源部６Ａ〜６Ｄ及び発光期間制御回路７Ａ〜７Ｄが接続されている。走査線駆動回路４Ａ〜４Ｄ、デジタル・アナログ変換部５Ａ〜５Ｄ及び発光期間制御回路７Ａ〜７Ｄは、それぞれ図示しない外部回路から出力される垂直同期信号VSYNC及び水平同期信号HSYNCに基づいて同期制御されるようになっている。
【００３４】
たとえば、第１タイリングパネル２Ａは、図２に示すように、その表示領域Ｒ1上に行
方向に沿ってｎ本（ｎは整数）の走査線ＬＹ1，ＬＹ2，…，ＬＹnが延設される一方、各
走査線ＬＹ1〜ＬＹnに対して交差するように列方向に沿ってｍ本（ｍは整数）のデータ線ＬＸ１〜ＬＸｍが延設されている。走査線ＬＹ1〜ＬＹnは第１走査線駆動回路４Ａに接続され、データ線ＬＸ1〜ＬＸmは第１デジタル・アナログ変換部５Ａに接続されている。また、表示領域Ｒ1上には、走査線ＬＹ1〜ＬＹnに平行にｎ本の電源供給線ＬＺが延設され
、第１電源部６Ａにて生成された電源電圧Ｖaが供給されるようになっている。電源電圧
Ｖaは、所定の値を有した定電圧である。さらに、表示領域Ｒ1上には、走査線ＬＹ1〜Ｌ
Ｙnに平行にｎ本の信号供給線Ｌs1，Ｌs2，…，Ｌsnが延設されている。信号供給線Ｌs1
〜Ｌsnは第１発光期間制御回路７Ａに接続され、同第１発光期間制御回路７Ａにて生成された発光期間制御信号Ｓｐ1a〜Ｓｐnaが供給されるようになっている。
【００３５】
また、各走査線ＬＹ1〜ＬＹnと各データ線ＬＸ1〜ＬＸmとが互いに直交する交差部に前
記有機ＥＬ素子３を含む画素回路８が形成されている。
有機ＥＬ素子３は、発光層が有機材料で構成されたエレクトロルミネッセンス素子であって、赤色の光を出射する赤用有機ＥＬ素子、緑色の光を出射する緑用有機ＥＬ素子、青色の光を出射する青用有機ＥＬ素子である。そして、各色用有機ＥＬ素子は、たとえば行方向に沿って赤用有機ＥＬ素子→緑用有機ＥＬ素子→青用有機ＥＬ素子→赤用有機ＥＬ素子→…の順に繰り返して配置されている。有機ＥＬ素子３は電流駆動型素子であって、その陽極／陰極間に流れる駆動電流Ｉdの電流値に応じた輝度で発光する。
【００３６】
画素回路８は、スイッチング素子や駆動トランジスタ等といった各種電子回路素子で構成された公知の画素回路であって電源電圧Ｖaにより駆動する。また、画素回路８は、対
応するデータ線を介してアナログ信号であるデータ信号ＳＤaを入力し、その入力された
データ信号ＳＤaに応じた電流値を有する駆動電流Ｉdを出力する。
詳しくは、画素回路８は、赤用有機ＥＬ素子を含む赤用画素回路、緑用有機ＥＬ素子を含む緑用画素回路及び青用有機ＥＬ素子を含む青用画素回路であって、本実施形態では、各タイリングパネル２Ａ〜２Ｄ上の各走査線に沿って赤用画素回路→緑用画素回路→青用画素回路→赤用画素回路→…の順に繰り返して配置されている。以下、各色用の画素回路８の回路構成について説明する。
【００３７】
図３は、第１走査線ＬＹ1と第１データ線ＬＸ1との交差部に形成された画素回路（赤用画素回路）８の内部構成を示す回路図である。図３に示すように、画素回路８は、有機ＥＬ素子３と、駆動トランジスタＱd、第１スイッチングトランジスタＱsw1、第２スイッチングトランジスタＱsw2、制御用トランジスタＱc、及び保持コンデンサＣoを有している
。
保持コンデンサＣoは、第１データ線ＬＸ1を介して供給されたデータ信号（アナログ電流）ＳＤ1に応じた電荷を保持し、これによって、有機ＥＬ素子（赤用有機ＥＬ素子）３
の発光輝度を調節するためのものである。第１及び第２スイッチングトランジスタＱsw1
，Ｑsw2、制御用トランジスタＱcは、それぞれｎチャネル型ＴＦＴであり、駆動トランジスタＱdはｐチャネル型ＴＦＴである。この有機ＥＬ素子３は、発光ダイオードと同様の
電流駆動型の発光素子なので、ここではダイオードの記号で描かれている。
【００３８】
第１スイッチングトランジスタＱsw1のソースは、第２スイッチングトランジスタＱsw2及び制御用トランジスタＱcの各ドレインに接続されている。第１スイッチングトランジ
スタＱsw1のドレインは、駆動トランジスタＱdのゲートに接続されている。保持コンデンサＣoは、駆動トランジスタＱdのゲート／ソース間に接続されている。また、駆動トランジスタＱdのソースは、電源供給線ＬＺにも接続されている。第２スイッチングトランジ
スタＱsw2は、そのソースが第１データ線Ｘｍ1に接続されている。有機ＥＬ素子（赤用有機ＥＬ素子）３は、その陽極が制御用トランジスタＱcのソースに接続され、陰極が接地
されている。
第１及び第２スイッチングトランジスタＱsw1，Ｑsw2の各ゲートは第１副走査線ＬＹ1aに共通に接続され、第１走査線ＬＹ1を介して供給される第１走査信号ＳＣ1aが入力され
る。また、制御用トランジスタＱcのゲートは、信号供給線Ｌs 1に接続され、発光期間制御信号Ｓｐ1aが入力される。
【００３９】
そして、プログラミング期間において、まず、第１走査線ＬＹ1を介してＨレベルの第
１走査信号ＳＣ1aが供給され、第１及び第２スイッチングトランジスタＱsw1，Ｑsw2が共にオン状態になる。また、信号供給線Ｌｓ1を介してＬレベルの発光期間制御信号Ｓｐ1a
が供給され、制御用トランジスタＱcがオフ状態になる。第１スイッチングトランジスタ
Ｑsw1がオン状態になると駆動トランジスタＱdがダイオード接続される。このタイミングで、第１データ線ＬＸ1を介して前記画素回路８のための第１データ信号ＳＤ1が供給される。従って、プログラミング期間では、駆動トランジスタＱd→第２スイッチングトラン
ジスタＱsw2→第１データ線ＬＸ1に沿って画像データＤ1に応じた第１データ信号ＳＤ1が流れる。そして、保持コンデンサＣoには、第１データ信号ＳＤ1に対応した電荷が保持され、プログラミング期間は終了する。この結果、保持コンデンサＣoには、第１データ信
号ＳＤ1に応じた電荷が保持される。
【００４０】
プログラミング期間が終了すると、発光期間に入り、第１走査線ＬＹ1を介してＬレベ
ルの第１走査信号ＳＣ1aが供給され、第１及び第２スイッチングトランジスタＱsw1，Ｑsw2が共にオフ状態になる。また、信号供給線Ｌｓ1を介してＨレベルの発光期間制御信号
Ｓｐ1aが供給され、制御用トランジスタＱcがオン状態になる。そして、このタイミング
で、第１データ線ＬＸ1を介して前記画素回路８のための第１データ信号ＳＤ1の供給が停止する。
【００４１】
この状態では、保持コンデンサＣoには、データ信号ＳＤ1に対応した電荷が保持されているので、駆動トランジスタＱｄのソース／ドレイン間には、データ信号ＳＤ1に応じた
電流値を有した電流が流れ、この電流が制御用トランジスタＱcを介して駆動電流Ｉdとして有機ＥＬ素子３の陽極／陰極間に流れ込む。この結果、有機ＥＬ素子３は、発光期間の間、データ信号ＳＤに応じた輝度で発光する。
また、薄膜トランジスタ９aは、Ｌレベルの発光期間制御信号Ｓｐ1ａ〜Ｓｐnａが供給
されるとオフになり画素回路８と有機ＥＬ素子３とを電気的に遮断して有機ＥＬ素子３への駆動電流Ｉdの供給を停止する。すると、このＬレベルの発光期間制御信号Ｓｐ1〜Ｓｐnが供給される期間では有機ＥＬ素子３は消灯する。
【００４２】
第１走査線駆動回路４Ａは、図示しないシフトレジスタ、出力回路等を内蔵している。図２に示すように、第１走査線駆動回路４Ａは、前記した外部回路から水平同期信号HSYNC及び垂直同期信号VSYNCを入力する。そして、第１走査線駆動回路４Ａは、垂直同期信号VSYNCに基づいて、図４に示すＨレベルの走査信号ＳＣ1a〜ＳＣnaを第１走査線ＬＹ1から第１走査線ＬＹ1→第２走査線ＬＹ2→…→第ｎ走査線ＬＹn→第１走査線ＬＹ1→…の順に出力するようになっている。
【００４３】
第１デジタル・アナログ変換部５Ａは、図示しないデジタル・アナログ変換回路、ラインラッチ回路、出力回路等を内蔵している。図２に示すように、第１デジタル・アナログ変換部５Ａは、前記した外部回路から水平同期信号HSYNCを入力する。また、第１デジタ
ル・アナログ変換部５Ａは、第１タイリングパネル２Ａに表示される画像のための画像データである第１画像データＤ1を入力する。そして、第１デジタル・アナログ変換部５Ａ
は、その内蔵したデジタル・アナログ変換回路によって第１画像データＤ1を第１データ
信号ＳＤaに変換する。そして、第１走査線駆動回路４ＡからＨレベルの走査信号ＳＣ1a
〜ＳＣnaが出力される毎に、水平同期信号HSYNCに基づいて、図４に示すように各データ
線ＬＸ１〜ＬＸｍに対して対応する第１データ信号ＳＤaを一斉に出力する。
【００４４】
第１発光期間制御回路７Ａは、前記発光期間制御信号Ｓｐ1a〜Ｓｐnaを生成して各信号供給線Ｌs1〜Ｌsnに出力する回路であって、図示しないシフトレジスタ、入出力回路等を内蔵している。第１発光期間制御回路７Ａは、後記するドライブパルス信号生成部１１から出力されるドライブパルス信号Ｓoを入力する。そして、図４に示すように、第１発光
期間制御回路７Ａは、入力されたドライブパルス信号Ｓoを第１発光期間制御信号Ｓｐ1a
として第１信号供給線Ｌs1に出力する。以下、同様に、第２発光期間制御信号Ｓｐ2aとして第２信号供給線Ｌs2に…、第ｎ発光期間制御信号Ｓｐnaとして第ｎ信号供給線Ｌsnに出力する。そして、第１発光期間制御回路７Ａは、各発光期間制御信号Ｓｐ1a〜Ｓｐnaを順次第１信号供給線Ｌs1→第２信号供給線Ｌs2→…→第ｎ信号供給線Ｌsnの順にシフトして出力する。従って、各発光期間制御信号Ｓｐ1a〜ＳｐnaのＨレベルのパルス幅Ｈｐは、ドライブパルス信号ＳoのＨレベルの期間と等しい。
【００４５】
また、第２〜第４タイリングパネル２Ｂ〜２Ｄについても、前記した第１タイリングパネル２Ａと同様な構成を成している。図１に示すように、第２タイリングパネル２Ｂには第２走査線駆動回路４Ｂからの走査信号ＳＣ1b〜ＳＣnb、第２デジタル・アナログ変換部５Ｂからの第２データ信号ＳＤb、第２電源部６Ｂにて生成された電源電圧Ｖb、及び第２発光期間制御回路７Ｂからの発光期間制御信号Ｓｐ1b〜Ｓｐnbが供給されるようになっている。また、第３タイリングパネル２Ｃには第３走査線駆動回路４Ｃからの走査信号ＳＣ1c〜ＳＣnc、第３デジタル・アナログ変換部５Ｃからの第３データ信号ＳＤc、第３電源
部６Ｃにて生成された電源電圧Ｖc、及び第３発光期間制御回路７Ｃからの発光期間制御
信号Ｓｐ1c〜Ｓｐncが供給されるようになっている。同様に、第４タイリングパネル２Ｄには第４走査線駆動回路４Ｄからの走査信号ＳＣ1d〜ＳＣnd、第４デジタル・アナログ変換部５Ｄからの第４データ信号ＳＤd、第４電源部６Ｄにて生成された電源電圧Ｖd、及び第４発光期間制御回路７Ｄからの発光期間制御信号Ｓｐ1d〜Ｓｐndが供給されるようになっている。尚、本実施形態では、各第２〜第４電源電圧Ｖb〜Ｖdは、それぞれ第１電源電圧Ｖaと、同じ値の所定の定電圧である。
【００４６】
そして、各第１〜第４走査線駆動回路４Ａ〜４Ｄは、前記したように、垂直同期信号VSYNC及び水平同期信号HSYNCに基づいて同期制御され、たとえば、第１走査線駆動回路４ＡがＨレベルの走査信号ＳＣ1aを出力すると、それに同期して、第２走査線駆動回路４ＢがＨレベルの走査信号ＳＣ1bを出力する。また同様に、第３走査線駆動回路４ＣがＨレベルの走査信号ＳＣ1cが出力すると、それに同期して、第４走査線駆動回路４ＤがＨレベルの走査信号ＳＣ1dを出力する。
【００４７】
本実施形態では、第１及び第２走査線駆動回路４Ａ，４ＢがＨレベルの走査信号ＳＣna，ＳＣnbを出力し終えると、第３及び第４走査線駆動回路４Ｃ，４ＤがＨレベルの走査信号ＳＣ1c，ＳＣ1dを出力する。そして、第３及び第４走査線駆動回路４Ｃ，４Ｄは垂直同期信号VSYNC及び水平同期信号HSYNCに基づいてＨレベルの走査信号ＳＣ1c〜ＳＣnc，ＳＣ1d〜ＳＣndまでを順次出力する。
【００４８】
そして、第１走査線駆動回路４Ａ及び第２走査線駆動回路４Ｂが駆動して走査信号ＳＣna，ＳＣnbを出力している間は、第１デジタル・アナログ変換部５Ａ及び第２デジタル・アナログ変換部５Ｂが駆動し対応するデータ信号ＳＤa，ＳＤbを出力する。また、第３走査線駆動回路４Ｃ及び第４走査線駆動回路４Ｄが駆動して走査信号ＳＣnc，ＳＣndを出力している間は、第３デジタル・アナログ変換部５Ｃ及び第４デジタル・アナログ変換部５Ｄが駆動し、対応するデータ信号ＳＤc，ＳＤdを出力するようになっている。
【００４９】
本実施形態では、第１走査線駆動回路４ＡがＨレベルの走査信号ＳＣ1a〜ＳＣna（第２走査線駆動回路４ＢがＨレベルの走査信号ＳＣ1b〜ＳＣnb）を出力してから第３走査線駆動回路４ＣがＨレベルの走査信号ＳＣ1c〜ＳＣnc（第４走査線駆動回路４ＤがＨレベルの走査信号ＳＣ1d〜ＳＣnd）を出力するまでの期間を１フレーム期間と定義する。
【００５０】
また、図１に示すように、有機ＥＬディスプレイ１は、信号生成部１０とドライブパルス信号生成部１１とを備えている。
図４に示すように、信号生成部１０は、フレームメモリ１２、画像データ分割部１３、第１〜第４平均階調値算出部１４a，１４b，１４c，１４d及び比較回路１５を備えている。フレームメモリ１２は、外部画像データ出力回路（図示略）に接続され、同外部画像データ出力回路から出力された１フレーム分の画像データＤを記憶する。
【００５１】
画像データ分割部１３は、フレームメモリ１２に記憶された１フレームの画像データＤを、前記第１〜第４タイリングパネル２Ａ〜２Ｄに区分けして１フレームの画像を表示さ
せるために第１〜第４タイリングパネル２Ａ〜２Ｄに割り当てる第１〜第４画像データＤ1〜Ｄ4に分割する回路部である。つまり、第１画像データＤ1は、１フレーム中の第１タ
イリングパネル２Ａに表示される画像のための画像データであり、第２画像データＤ2は
、１フレーム中の第２タイリングパネル２Ｂに表示される画像のための画像データである。また、第３画像データＤ3は、１フレーム中の第３タイリングパネル２Ｃに表示される
画像のための画像データであり、第４画像データＤ4は、１フレーム中の第４タイリング
パネル２Ｄに表示される画像のための画像データである。
【００５２】
画像データ分割部１３は、第１〜第４画像データＤ１〜Ｄ4をそれぞれ対応する第１〜
第４平均階調値算出部１４a，１４b，１４c，１４dに出力する。第１〜第４平均階調値算出部１４a，１４b，１４c，１４dは、それぞれ入力された画像データＤ1〜Ｄ4に対する平均階調値Ａ1，Ａ2，Ａ3，Ａ4を算出する。
【００５３】
即ち、第１平均階調値算出部１４aは、第１タイリングパネル２Ａ上に形成された全て
の有機ＥＬ素子３の階調値に対する平均階調値を算出する。第２平均階調値算出部１４b
は、第２タイリングパネル２Ｂ上に形成された全ての有機ＥＬ素子３の階調値に対する平均階調値を算出する。第３平均階調値算出部１４cは、第３タイリングパネル２Ｃ上に形
成された全ての有機ＥＬ素子３の階調値に対する平均階調値を算出する。第４平均階調値算出部１４dは、第４タイリングパネル２Ｄ上に形成された全ての有機ＥＬ素子３の階調
値に対する平均階調値を算出する。
【００５４】
比較回路１５は、各第１〜第４平均階調値Ａ1〜Ａ4同士を比較しその中で最も高い平均階調値である最高平均階調値Ａoを抽出する。そして、比較回路１５は、最高平均階調値
Ａoをドライブパルス信号生成部１１へ出力する。
ドライブパルス信号生成部１１は、比較回路１５で抽出された最高平均階調値Ａoに基
づいて各タイリングパネル２Ａ〜２Ｄ上の各有機ＥＬ素子３に供給される駆動電流Ｉｄの供給時間を制御するためのドライブパルス信号Ｓoを生成する。
【００５５】
詳しくは、ドライブパルス信号生成部１１は、入力された最高平均階調値Ａoに基づい
て有機ＥＬ素子３に過度の駆動電流Ｉｄが供給されない程度のデューティ値を有した電圧信号に変換するための変換用マップデータを有している。
【００５６】
図６は、変換用マップデータに基づいた、最高平均階調値Ａoに対するドライブパルス
信号Ｓoの１フレーム当たりのＨレベルの期間（以下、「発光デューティ値」という）Ｒ
との関係を示すグラフである。図６に示すように、この変換用マップデータは、最高平均階調値Ａoが小さいときは発光デューティ値Ｒを大きくし、最高平均階調値Ａoが大きくなるに従って急峻に発光デューティ値Ｒを低下させるような特性を有したデータである。これにより、有機ＥＬ素子３の発光デューティ値Ｒは、各タイリングパネル２Ａ〜２Ｄの第１〜第４画像データＤ１〜Ｄ4の各平均階調値のうちの最高平均階調値Ａoが大きくなるように変化すると、その変化に対応して小さくなるように制御される。
【００５７】
そして、ドライブパルス信号生成部１１は、入力された最高平均階調値Ａoに対応した
発光デューティ値Ｒ、即ちパルス幅Ｈｐを有したドライブパルス信号Ｓoを生成し、各第
１〜第４発光期間制御回路７Ａ〜７Ｄに出力する。すると、第１〜第４発光期間制御回路７Ａ〜７Ｄは、このドライブパルス信号Ｓoのパルス幅と同じパルス幅Ｈｐを有した各第
１〜第４発光期間制御信号Ｓｐ1a〜Ｓｐna，Ｓｐ1b〜Ｓｐnb，Ｓｐ1c〜Ｓｐnc，Ｓｐ1d〜Ｓｐndを各画素回路８の薄膜トランジスタ９aに出力する。この結果、全ての有機ＥＬ素
子３の各駆動電流Ｉdの供給時間、即ち発光期間は、最高平均階調値Ａoに基づいて一斉制御される。
【００５８】
そして、上記のような構成を成した上記有機ＥＬディスプレイ１においてピーク輝度制御を行う場合には、各第１〜第４タイリングパネル２Ａ〜２Ｄ中、１フレームにおいて最も高い平均階調値（最高平均階調値Ａo）を示すタイリングパネルの平均階調値に基づい
て行われる。従って、所定の１枚のタイリングパネルが他のタイリングパネルに比べてその平均階調値が高い画像を表示するときであっても、各タイリングパネル２Ａ〜２Ｄの平均階調値のうち、最も平均諧調値が高いタイリングパネルの平均階調値（最高平均階調値Ａo）に基づいてピーク輝度制御される。この結果、他のタイリングパネルとともに平均
階調値が高い画像を表示するタイリングパネルの有機ＥＬ素子３への駆動電流Ｉdの供給
時間は短く設定される。
【００５９】
一方、従来のように、大型表示パネル部２全体の平均階調値に基づいてピーク輝度制御される場合では、所定の１枚のタイリングパネルが他のタイリングパネルに比べてその平均階調値が高い画像を表示するとき、大型表示パネル部２全体の平均階調値は低いので、発光デューティ値Ｒを大きくなるように設定される。従って、他のタイリングパネルの有機ＥＬ素子３とともに平均階調値が高い画像を表示するタイリングパネルの有機ＥＬ素子３においても駆動電流Ｉdの供給時間は長くなる。そして、平均階調値が高い画像を表示
するタイリングパネル上に更に輝点が表示されるような場合では、図示しないピーク輝度制御手段によりその輝点を表示するため有機ＥＬ素子３に大きな駆動電流Ｉｄが供給されるので、同有機ＥＬ素子３が破損してしまう場合ある。
【００６０】
しかし、本発明では、前記したように、所定の１枚のタイリングパネルが他のタイリングパネルに比べてその平均階調値が高い画像を表示するときであっても、最も平均諧調値が高いタイリングパネルの平均階調値（最高平均階調値Ａo）に基づいてピーク輝度制御
するようにした。これにより、他のタイリングパネルとともに平均階調値が高い画像を表示するタイリングパネルの有機ＥＬ素子３への駆動電流Ｉdの供給時間は短く設定される
。このため、平均階調値が高い画像を表示するタイリングパネル上に、更に輝点が表示されるような場合では、ピーク輝度制御手段によりその輝点を表示するための有機ＥＬ素子３に大きな駆動電流Ｉdが供給されてもその供給時間（発光期間）は短いので、同有機Ｅ
Ｌ素子３が破損してしまうことはない。
【００６１】
前記実施形態によれば、以下のような特徴を得ることができる。
（１）  本実施形態では、１フレーム期間におけるタイリングパネル２Ａ〜２Ｄの各平均階調値Ａ1〜Ａ4を算出する平均諧調値算出部１４a〜１４dと、最高平均階調値Ａoを抽出
する比較回路１５と、最高平均階調値Ａoに基づいて発光デューティ値Ｒを設定するドラ
イブパルス信号生成部１１とを備えた。また、ドライブパルス信号生成部１１には発光デューティ値Ｒを、最高平均階調値Ａoが大きいときには小さく、最高平均階調値Ａoが小さいときには大きくする変換用マップデータを備えた。そして、各タイリングパネル２Ａ〜２Ｄの駆動電流Ｉdの供給時間を最高平均階調値Ａoに基づいて制御するようにした。
従って、平均階調値が高い画像を表示するタイリングパネル上に、更に輝点が表示されるような場合、その輝点を表示するため有機ＥＬ素子３に大きな駆動電流Ｉdが流れても
その発光期間は短いので、同有機ＥＬ素子３が破損するのを防止することができる。
【００６２】
（２）  本実施形態では、第１〜第４平均諧調値算出部１４a〜１４dは、フレームメモリに記憶された１フレーム期間当たりの各第１〜第４画像データＤ１〜Ｄ４に基づいて１フレーム期間当たりの平均階調値を算出するようにした。従って、有機ＥＬ素子３の駆動電流Ｉdの供給量は、１フレーム期間当たりの平均階調値に基づいて制御される。この結果
、たとえば、１走査期間当たりの各第１〜第４画像データＤ１〜Ｄ４に基づいて１走査期間当たりの平均階調値を算出する場合と比べて各平均諧調値算出部１４a〜１４dでの演算処理速度を下げることができるので各平均諧調値算出部１４a〜１４dの負担を低減させることができる。
【００６３】
尚、特許請求の範囲に記載の輝度特性値は、例えば、本実施形態においては第１〜第４平均階調値Ａ1〜Ａ4に対応している。特許請求の範囲に記載の駆動電力は、例えば、本実施形態においては駆動電流Ｉｄに対応している。特許請求の範囲に記載の電気光学装置は、例えば、本実施形態においては有機エレクトロルミネッセンスディスプレイ１に対応している。
【００６４】
また、特許請求の範囲に記載の電気光学パネルは、例えば、本実施形態においては大型表示パネル部２に対応している。特許請求の範囲に記載の表示部は、例えば、本実施形態においては第１〜第４タイリングパネル２Ａ〜２Ｄに対応している。特許請求の範囲に記載の電気光学素子は、例えば、本実施形態においては有機ＥＬ素子３に対応している。特許請求の範囲に記載の制御部は、例えば、本実施形態においてはドライブパルス信号生成部１１に対応している。特許請求の範囲に記載の特性値算出部は、例えば、本実施形態においては第１〜第４平均諧調値算出部１４a〜１４dに対応している。
さらに、特許請求の範囲に記載の比較部は、例えば、本実施形態においては比較回路１５に対応している。
【００６５】
（第２実施形態）
次に、第１実施形態で説明した電気光学装置としての有機ＥＬディスプレイ１の電子機器の適用について図６に従って説明する。有機ＥＬディスプレイ１は、モバイル型のパーソナルコンピュータ、携帯電話、デジタルカメラ等種々の電子機器に適用できる。
【００６６】
図７は、大型テレビ２０の斜視図である。この大型テレビ２０は、有機ＥＬディスプレイ１を搭載した大型テレビ用の表示ユニット２１と、スピーカー２２と、複数の操作ボタン２３とを備えている。この場合でも、有機ＥＬディスプレイ１を用いた表示ユニット２１は、その各有機ＥＬ素子３（図２参照）には過度な駆動電流Ｉｄが供給されないので、そのピーク輝度制御を行う際に、有機ＥＬ素子３が破損することがない大型テレビを提供できる。
【００６７】
尚、発明の実施形態は、上記実施形態に限定されるものではなく、以下のように実施してもよい。
○上記第１実施形態では、各タイリングパネル２Ａ〜２Ｄに表示される画像の各画像データＤ1〜Ｄ4からそれぞれ輝度特性値として平均階調値Ａ1〜Ａ4を算出し、その平均階調値Ａ1〜Ａ4の中から最高平均階調値Ａoを抽出し、その最高平均階調値Ａoに基づいて有機ＥＬ素子３の発光デューティ値Ｒを決定するようにした。これを、たとえば、各タイリングパネル２Ａ〜２Ｄに表示される画像の各画像データＤ1〜Ｄ4からそれぞれ輝度特性値として最高階調値を算出し、その各最高階調値の中で最も高い最高平均階調値を抽出し、その抽出された最高平均階調値に基づいて有機ＥＬ素子３の発光デューティ値Ｒを決定するようにしてもよい。このようにしても、上記実施形態と同様な効果を得ることができる。また、輝度特性値として各タイリングパネル２Ａ〜２Ｄに表示される画像の各画像データＤ1〜Ｄ4の最小階調値、または階調ヒストグラムを用いてもよい。
【００６８】
○上記第１実施形態では、画像データＤを第１〜第４画像データＤ１〜Ｄ４に分割し、それぞれ対応する第１〜第４デジタル・アナログ変換部５Ａ〜５Ｄへ出力するようにした。そして、第１〜第４デジタル・アナログ変換部５Ａ〜５Ｄは、第１〜第４画像データＤ１〜Ｄ４をそれぞれデータ信号ＳＤa〜ＳＤdに変換し、対応するタイリングパネル２Ａ〜２Ｄへ出力するようにした。また、画素回路８内に薄膜トランジスタ９aを設け、各第１
〜第４画像データＤ１〜Ｄ４に基づいて算出された最高平均階調値Ａoにより決定された
発光デューティ値Ｒに従って同薄膜トランジスタ９aのオン・オフ状態を制御して有機Ｅ
Ｌ素子３の発光期間をデューティ制御するようにした。これを、薄膜トランジスタ９aを
設けず、分割された各第１〜第４画像データＤ１〜Ｄ４に最高平均階調値Ａoに基づいた
値だけ重み付けをし、その重み付けされた第１〜第４画像データＤ１〜Ｄ４をそれぞれ対応する第１〜第４デジタル・アナログ変換部５Ａ〜５Ｄへ出力するようにしてもよい。このようにすることで、薄膜トランジスタ９aを設けることなく上記実施形態と同様な効果
を得ることができる。
【００６９】
○上記第１実施形態では、各画素回路８には、一定の電圧値を有した直流電圧である電源電圧Ｖa〜Ｖdが供給されるようにした。また、各画素回路８には、薄膜トランジスタ９aを設け、対応する第１〜第４画像データＤ１〜Ｄ４に基づいた大きさの駆動電流Ｉｄを
同薄膜トランジスタ９aを介して各有機ＥＬ素子３に供給するようにした。そして、各第
１〜第４画像データＤ１〜Ｄ４に基づいて算出された最高平均階調値Ａoにより決定され
た発光デューティ値Ｒに従って薄膜トランジスタ９aのオン・オフ状態を制御することで
有機ＥＬ素子３の発光期間をデューティ制御するようにした。これを、薄膜トランジスタ９aを設けず、各第１〜第４画像データＤ１〜Ｄ４に基づいて算出された最高平均階調値
Ａoにより決定された発光デューティ値Ｒに応じて電源電圧Ｖa〜Ｖdの大きさが可変制御
されるようにする。このようにすることで、薄膜トランジスタ９aを設けることなく上記
実施形態と同様な効果を得ることができる。
【００７０】
○上記第１実施形態では、各タイリングパネル２Ａ〜２Ｄに表示される画像データＤ1
〜Ｄ4中で最も高い平均階調値を最高平均階調値Ａoとし、その最高平均階調値Ａoに基づ
いて各有機ＥＬ素子３の発光デューティ値Ｒを算出するようにした。これを、１フレーム当たりではなく、１走査線当たりの各タイリングパネル２Ａ〜２Ｄに表示される画像データＤ1〜Ｄ4中で最も高い平均階調値を最高平均階調値Ａoとし、その最高平均階調値Ａoに基づいて各有機ＥＬ素子３の発光デューティ値Ｒを算出するようにしてもよい。このようにしても、上記実施形態と同様な効果を得ることができる。
【００７１】
○上記第１実施形態では、ドライブパルス信号生成部１１の変換用マップデータは、図５に示すような最高平均階調値Ａoが大きくなるに従って急峻に発光デューティ値Ｒを低
下させる特性を有したマップデータであった。これに限定されるものではなく、要は、最高平均階調値Ａoが大きくなるに従って発光デューティ値Ｒを単調に低下させる特性を有
したマップデータであればよい。
【００７２】
○上記第１実施形態では、特性値算出部としての平均輝度算出部１４a〜１４dが第１〜第４画像データＤ1〜Ｄ4の各平均階調値Ａ1〜Ａ4を算出し、その平均階調値Ａ1〜Ａ4から最高平均階調値Ａoを抽出するようにした。そして、最高平均階調値Ａoに基づいて発光デューティ値Ｒを決定してピーク輝度制御を行うようにした。これを、特性値算出部として各タイリングパネル２Ａ〜２Ｄに流れた駆動電流Ｉｄの各総和値（消費電流）を検出する検出部を備える。そして、各タイリングパネル２Ａ〜２Ｄの駆動電流Ｉｄの各総和値（消費電流）を比較し、その比較した結果、駆動電流Ｉｄの総和値（消費電流）が最も大きなタイリングパネル２Ａ〜２Ｄの駆動電流Ｉｄの総和値（消費電流）に従ってピーク輝度制御を行うようにしてもよい。
【００７３】
○上記各実施形態では、電気光学素子として有機ＥＬ素子３に適応したが、これに限定されるものではなく、たとえば、発光ダイオードであっても上記実施形態と同様な効果が得られる。
【００７４】
○上記実施形態では、有機ＥＬ素子３を備えた有機ＥＬディスプレイに具体化して好適な効果を得たが、有機ＥＬディスプレイ以外の例えばデジタルマイクロミラーデバイス（DMD）を用いたディスプレイ、電子放出素子を用いたディスプレイ（FED）やＳＥＤ（Surface−Conduction  Electron−Em itter  Display）に具体化してもよい。また。電子写真
装置の光ヘッド（光プリンタのヘッドやデジタルラボのヘッド）に使用してもよい。
【図面の簡単な説明】
【００７５】
【図１】本実施形態の有機ＥＬディスプレイの電気的構成を説明するための図である。
【図２】第１タイリングパネルの構成を説明するための図である。
【図３】画素回路の内部構成を示す回路図である。
【図４】信号生成部の構成を説明するための図である。
【図５】有機ＥＬディスプレイの動作を説明するためのタイミングチャートである。
【図６】変換用マップデータによる最高平均階調値と発光デューティ値との関係を示すグラフである。
【図７】第２実施形態に係る電子機器としての大型テレビの斜視図である。
【符号の説明】
【００７６】
Ａ1〜Ａ4…輝度特性値としての第１〜第４平均階調値、Ｉｄ…駆動電力としての駆動電流、１…電気光学装置としての有機エレクトロルミネッセンスディスプレイ、２…電気光学パネルとしての大型表示パネル部、２Ａ〜２Ｄ…表示部としての第１〜第４タイリングパネル、３…電気光学素子としての有機ＥＬ素子、１１…制御部としてのドライブパルス信号生成部、１４a〜１４d…特性値算出部としての第１〜第４平均諧調値算出部、１５…比較部としての比較回路。
【図１】
2006126231.tif 000003
【図２】
2006126231.tif 000004
【図３】
2006126231.tif 000005
【図４】
2006126231.tif 000006
【図５】
2006126231.tif 000007
【図６】
2006126231.tif 000008
【図７】
2006126231.tif 000009